(57)【要約】  筋肉運動装置（１）は、一端領域（３）に作用エレメント（４）が取り付けられ、他端領域（５）に第１ヒンジ（９）の回りに回転可能であるパワーアーム（２）を含む。第１ヒンジ（９）は、保持エレメント（６）上に配置される。バネエレメント（１１）の一端領域（１０）が第１関節接合部（１２）において関節接合してパワーアーム（２）にリンクされ、バネエレメントの他端領域（１３）が関節接合して保持エレメント（６）にリンクされている。保持エレメント（６）は、回転ヒンジを介してサポート（１７）に結合され、サポート（１７）に関してひとつの平面内で回転可能であり、設定したそれぞれの回転位置においてロック可能である。この装置により、さまざまな筋肉集合を非常に単純な方法で運動および動かすことができる。
2016516497.tif 000002
【特許請求の範囲】
【請求項１】
一端領域に作用エレメントを有し、他端領域において第１ヒンジの回りに回転可能であるパワーアームを備え、前記第１ヒンジは保持エレメント上に配置され、バネエレメントの一端領域が第１関節接合部において関節接合して前記パワーアームにリンクされ、前記バネエレメントの他端領域が前記保持エレメント上の第２関節接合部において関節接合して前記保持エレメントにリンクされ、
前記保持エレメントは、回転ヒンジを介してサポートに結合され、前記サポートに関して軸線１８の回りにひとつの平面内で回転可能であり、設定したそれぞれの回転位置においてロック可能である、ことを特徴とする筋肉運動用の装置。
【請求項２】
前記保持エレメントがアームとして構成され、前記アームの一端領域において、前記第１ヒンジが配置され、前記アームの他端領域において前記バネエレメントの前記他端領域が関節接合でリンクされている、ことを特徴とする請求項１に記載の装置。
【請求項３】
前記パワーアームが伸長部を有し、前記作用エレメントが前記伸長部に設けられ、前記伸長部は伸縮自在に前記パワーアーム内部に出し入れでき、適当な位置でロックすることができる、ことを特徴とする請求項１または２に記載の装置。
【請求項４】
前記第１ヒンジに対する前記第１関節接合部の間隔を設定するべく、前記第１関節接合部は調節可能である、ことを特徴とする請求項１から３のいずれか一項に記載の装置。
【請求項５】
前記サポートはスタンド２５上に高さ調節可能な方法で設置され、前記スタンドは、部屋の壁または部屋の内部の壁に関して固定することができ、調節した高さにロック可能である、ことを特徴とする請求項１から４のいずれか一項に記載の装置。
【請求項６】
前記サポートは、カウンターフォースを通じて前記スタンドにそれぞれの高さで保持される、ことを特徴とする請求項５に記載の装置。
【請求項７】
前記カウンターフォースは、カウンターウェイトまたはバネバランサーによって形成される、ことを特徴とする請求項６に記載の装置。
【請求項８】
前記パワーアームおよび前記バネエレメントは、前記第１関節接合部において互いに分離可能であり、前記パワーアームは前記保持エレメントに近づく方向にスイング可能である、ことを特徴とする請求項１から７のいずれか一項に記載の装置。
【請求項９】
前記スタンドはカップボードエレメント内に配置され、前記カップボードエレメントはドアを有し、前記ドアは、前記パワーアームが前記保持エレメントに近づく方向にスイングした状態で閉止する、ことを特徴とする請求項８に記載の装置。
【請求項１０】
前記バネエレメントは空気圧シリンダとして構成される、ことを特徴とする請求項１から９のいずれか一項に記載の装置。
【請求項１１】
前記空気圧シリンダは圧縮空気ラインを介して圧縮空気リザーバに結合されている、ことを特徴とする請求項１０に記載の装置。
【請求項１２】
マノメーターおよび圧力制限バルブが、前記圧縮空気ライン内に挿入されている、ことを特徴とする請求項１１に記載の装置。
【請求項１３】
空気圧ソースが前記圧縮空気ラインに結合可能であり、減圧システムが挿入され、それにより、前記圧縮空気の圧力が変更可能となる、ことを特徴とする請求項１１または１２に記載の装置。
【請求項１４】
前記パワーアームの前記一端領域、または、前記伸長部には、最も多様な作用エレメントが選択的に使用可能である、ことを特徴とする請求項１から１３のいずれか一項に記載の装置。
【発明の詳細な説明】
【技術分野】
【０００１】
本願発明は、筋肉運動用の装置に関し、一端領域で作用エレメントと係合可能であり、他端領域で保持エレメント上に配置された第１ヒンジの回りに枢動可能であるパワーアームを有する装置に関する。バネエレメントの一端領域が第１関節部において関節接合によりパワーアームにリンクし、バネエレメントの他端領域が保持エレメント上の第２関節部において、関節接合により保持エレメントにリンクする。
【背景技術】
【０００２】
筋肉運動用のこのような装置は、さまざまなデザインで知られている。例えば、米国特許第６，３２８，６７９号には、ブラケット形状を有するパワーアームが弾性力に対向するひとつの方向に枢動可能である装置が開示されている。この種の装置によって、人体の筋肉集合、特に、腕および肩周辺の筋肉集合が運動可能である。他の筋肉集合を運動させようとしたとき、他のマシンまたはイクイップメントを使用する必要がある。したがって、できるだけ多くの人体の筋肉集合を運動させる場合、複数の対応する装置が必要となり、それらの装置の各々は、筋肉集合を運動させる最適な方法で適用されなければならない。人体筋肉を全体的に運動するためには、広い空間に加え、高いレイアウトコストを伴う異なる適当な装置を購入するか、異なる筋肉集合を運動するためのさまざまなデバイスが利用可能であるフィットネスまたはセラピーセンターに通うかのいずれかが必要である。しかし、それらのフィットネスまたはセラピーセンターに通うには、相当の時間を費やす必要がある。
【発明の概要】
【発明が解決しようとする課題】
【０００３】
したがって、本願発明の目的は、多様な筋肉集合が多くの方法で運動可能であるように、設定および調節可能であり、単純な構造を有し、必要な空間および自重が最小であり、購入費用を低く抑えることができる、筋肉を運動させるための装置を与えることである。
【課題を解決するための手段】
【０００４】
本願発明に従う目的は、回転ヒンジを介してサポートに結合され、このサポートの回りにひとつの平面内で回転可能であり、おのおのに対応して設定された回転位置でロック可能である保持エレメントを、当該装置が有することによって達成される。
【０００５】
本願発明に従うこの解決手段によって、パワーアームがそれぞれの角度位置に設定可能となり、それによって垂直方向のプレス、プッシュ、プルが実行可能となる。水平方向でのプレス、プッシュ、プル等もまた実行可能となる。さらに、プレス、プッシュ、プル等は、傾斜した位置において実行することが可能である。したがって、当該装置の適切な構造によって、実際に、人間のすべての筋肉集合が運動可能であり、取り扱い可能となる。異なる機能を有する複数のデバイスを、使用する必要がなくなる。
【０００６】
保持エレメントは、好適には、一端領域に第１ヒンジが配置され、他端領域にバネエレメントの他端領域が関節接合するアームとして設計されるのが好ましい。それにより、力の最適な導入が得られる。
【０００７】
パワーアームは、好適には伸長部を具備する。作用エレメントはそれに設けられる。また、伸長部は、伸縮自在にパワーアームに出し入れ可能で、かつ、適当な位置にロック可能である。これにより、抵抗力が変更可能となり、必要に応じて適応可能となる。
【０００８】
本願発明の実施形態はまた、第１関節接合部が調節可能に設計されており、第１ヒンジに対する第１関節接合部の間隔が設定可能となるという利点を有する。こうして、パワーアームに対する力効果は変更可能である。それにより、パワーアームの移動経路にわたって、力の特性も変更可能となる。バネエレメントの力の増加と組み合わせて、減少、一定または増加する経路を達成することができる。
【０００９】
サポートは、好適に、スタンド上に高さ調節可能に設置される。そのスタンドは、部屋の壁または部屋の中の壁に対して固定可能であり、設定した高さにロック可能である。筋肉集合をトレーニングする運動は、立って、座って、または寝て、あるいはこの装置の使用の可能性をさらに向上させる他のポジションで、実行可能である。
【００１０】
本願発明の実施形態はまた、サポートがカウンターフォースによってそれぞれの高さに保持され、そのカウンターフォースがカウンターウェイトまたはバネバランサーによって形成可能であるという利点を有する。このカウンターフォースは、装置の重さにほぼ匹敵する。それによって、装置は、実際に、努力することなくスタンドの所望の高さまで持ってくることができ、かつ、それに対応する位置でロック可能である。
【００１１】
パワーアームおよびバネエレメントは、好適には、第１関節接合部において互いに分離可能であり、その結果パワーアームは、保持エレメントの方向へ近づくようにスイングすることが可能となる。それにより、装置を使用しないときに、場所を取らずにしまうことができる。
【００１２】
本願発明の実施形態はさらに、スタンドがカップボードエレメントに配置され、それはドアを具備し、そのドアは、パワーアームが保持エレメントの方向に近づいてスイングする状態で閉止可能であるという利点を有する。それにより装置は、使用しないときに、このカップボードエレメント内で最適に格納することができる。このカップボードエレメントは非常にスリムに保持可能である。このようなカップボードエレメントを具備する装置は、アパートメントの好きな部屋で場所を取らずに容易に収納可能である。カップボードエレメントの対応する美観は不快なものではない。
【００１３】
本願発明の実施形態はまた、バネエレメントが空気圧シリンダとして設計されており、それによって、装置の構造が単純となり、多くの調節機能を生むという利点を有する。
【００１４】
空気圧シリンダは、好適には、圧縮された空気ラインを通じて圧縮された空気リザーバに結合される。それにより、パワーアームに作用するバネエレメントの力が移動経路にわたって所定の増加を伴うことが達成可能となる。
【００１５】
好適には、マノメーターおよび圧力制限バルブが圧縮空気ラインに挿入される。マノメーターを通じて、圧力がモニターされる。圧力制限バルブは、システム内の圧力が高すぎないようにし、それによってダメージを回避できる。
【００１６】
本願発明の実施形態はさらに、空気圧ソースが圧縮空気ラインと結合可能であり、減圧装置が使用され、それによって、圧縮空気の圧力が変更可能となるという利点を有する。圧力変更のこの単純な機能を通じて、拡張すべき力の大きさは、実際に所望されるように最適に調節可能である。
【００１７】
好適には、パワーアームの一端領域において、または、その伸長部において、ほとんどの多様な作用エレメントが選択的に使用可能である。それによって、この装置によって実行可能な運動およびトレーニングセッションの機能は、最適な方法で補充される。
【００１８】
本願発明に従う筋肉を運動する装置の実施形態は、図面を参照して、例を使って以下で詳細に説明される。
【図面の簡単な説明】
【００１９】
【図１Ａ】図１Ａは、パワーアームが上側位置にあり、バネエレメントの関節接合部が最外位置にある状態の、本願発明に従う装置の側面図である。
【図１Ｂ】図１Ｂは、パワーアームが上側位置にあり、バネエレメントの関節接合部が最外位置にある状態の、本願発明に従う装置の立体図である。
【図２Ａ】図２Ａは、バネエレメントの関節接合部が最内位置にある状態の、図１Ａに示す本願発明に従う装置の側面図である。
【図２Ｂ】図２Ｂは、バネエレメントの関節接合部が最内位置にある状態の、図１Ｂに示す本願発明に従う装置の立体図である。
【図３Ａ】図３Ａは、パワーアームがわずかに下側に移動した状態の、本願発明に従う装置の側面図である。
【図３Ｂ】図３Ｂは、パワーアームがわずかに下側に移動した状態の、本願発明に従う装置の立体図である。
【図４Ａ】図４Ａは、パワーアームが最低位置に配置された状態の、本願発明に従う装置の側面図である。
【図４Ｂ】図４Ｂは、パワーアームが最低位置に配置された状態の、本願発明に従う装置の立体図である。
【図５】図５は、スタンド上に高さ調節可能に配置された、本願発明に従う装置の立体図である。
【図６】図６は、サポートに関して回転した位置に配置された、本願発明に従う装置の立体図である。
【図７】図７は、サポートに関して回転した位置に配置された、本願発明に従う装置の立体図である。
【図８Ａ】図８Ａは、パワーアームがバネエレメントから分離され、枢動位置に配置された状態の、本願発明に従う装置の側面図である。
【図８Ｂ】図８Ｂは、パワーアームがバネエレメントから分離され、枢動位置に配置された状態の、本願発明に従う装置の立体図である。
【図９Ａ】図９Ａは、閉止可能ドアを具備するカップボード内に収納可能な、本願発明に従う装置の立体図である。
【図９Ｂ】図９Ｂは、閉止可能ドアを具備するカップボード内に収納可能な、本願発明に従う装置の立体図である。
【図１０】図１０は、本願発明に従う装置に使用されるエレメントの空気圧結合図である。
【図１１】図１１は、複数の可能な力の経路を示す。
【図１２Ａ】図１２Ａは、本願発明に従う装置のエレメントの分解図である。
【図１２Ｂ】図１２Ｂは、本願発明に従う装置のエレメントの分解図である。
【図１３】図１３は、本願発明に従う装置のスタンドを背後からの見た図である。
【発明を実施するための形態】
【００２０】
図１Ａおよび図１Ｂは、筋肉を運動するための本願発明に従う装置１の側面図および立面図をそれぞれ示す。装置１は、パワーアーム２を有する。パワーアーム２は、その一端領域３において作用エレメント４を取り付けることができる。そうして、パワーアーム２は運動している人によって操作可能となる。パワーアーム２は、その他端領域５において、第１ヒンジ９を具備する。この第１ヒンジ９によって、パワーアーム２は保持エレメント６に関節接合される。それによって、パワーアーム２は、この保持エレメント６に対して枢動可能となる。
【００２１】
保持エレメント６はアーム７として設計されている。このアーム７の一端領域８に配置されているのは、第１ヒンジ９である。第１関節接合部１２においてパワーアーム２に関節接合されてリンクされているのは、バネエレメント１１の一端領域１０である。バネエレメント１１の他端領域１３はアーム７の他端流域１４において関節接合でリンクされている。この実施形態において、バネエレメント１１は、空気圧シリンダ１５として設計されている。それは、以下で詳述する。もちろん、他の適当なバネエレメントが可能である。
【００２２】
保持エレメント６またはアーム７はそれぞれ、回転ヒンジを介してサポート１７に結合されている。それによって、アーム７は、軸線１８の回りで、サポート１７に関して回転可能である。アーム７上に配置されているのは、ロックピン１９である。それは円形経路上で、サポート１７上で対応して配置される既知のボア（図示せず）内に挿入されてよい。サポート１７の対応するボアからロックピン１９を引き抜いた後、アームは軸線１８の回りにサポート１７に関して回転可能となる。この回転位置において、ロックピンが対応するボア内に挿入可能である。したがって、アーム７はサポート１７に関してこの位置でロックされる。もちろん、他の適当なロックシステムも使用可能である。
【００２３】
サポート１７は、以下で説明するように、例えば、対応するスタンドに、または、グリッドウォールに、あるいは、他の適当なエレメントに固定可能である。その結果、筋肉を運動するためのパワーアーム２は矢印２０で示すように移動可能となる。
【００２４】
図２Ａおよび図２Ｂにおいて、図１Ａおよび図１Ｂと同じ装置１が示されている。パワーアーム２は第１ヒンジ９を介してアーム７に枢着されている。アーム７はサポート１７上で回転可能に保持されている。第１関節接合部１２は、パワーアーム２上に調節可能に配置されている。第１の関節接合部１２は摺動部２１上に配置されており、それは、周知の方法でパワーアーム２に取り付けられ、第１ヒンジ９に向かっておよび第１ヒンジから遠ざかるようにトラック２２に沿って移動し、周知の方法で（図示せず）それぞれの位置で固定可能である。したがって、パワーアーム２が移動するのに出力されるべき力に影響を及ぼす、てこの作用は変更可能となる。もちろん、多くの他の周知の適当な調節器具および固定機構もまた適用可能である。
【００２５】
パワーアーム２は作用エレメント４が設置された伸長部２３を具備する。伸長部２３は伸縮自在にパワーアーム２内に出し入れ可能である。伸長部２３は他のロックピン２４によって周知の方法でパワーアーム２に関して対応する位置にロック可能である。ここで、多くの他の周知の適当なシステムもまた適用可能である。
【００２６】
図１Ａおよび図１Ｂ、ならびに、図２Ａおよび図２Ｂに示すのは、パワーアーム２がバネエレメント１１の伸長した最上部の開始位置に配置されている状態の本願発明に従う装置１である。図３Ｂおよび３Ｂは、空気圧シリンダ１５によって出力される力に対向して、パワーアーム２がわずかに下側の回転位置に配置された状態の装置１を示す。それにより、第１関節接合部１２は中間位置に配置されている。
【００２７】
図４Ａおよび図４Ｂは、パワーアーム２が最低位置にある状態の装置１を示す。空気圧シリンダ１５は、完全に収縮状態にある。この位置から、再びパワーアーム２は、図１Ａおよび図１Ｂ、ならびに、図２Ａおよび図２Ｂに示すような最上部まで枢動する。
【００２８】
図５は、筋肉運動をするための本願発明に従う装置１の立体図を示す。この装置は、スタンド２５上に配置されている。周知の方法で、このスタンド２５は直線トラック２６を有し、それに沿ってサポート１７が移動可能である。この目的で、サポート１７は対応するガイドシューを具備する。それによって、サポート１７はスタンド２５内で直線２６に沿って移動可能である。本願発明に従う装置は、スタンドに関して任意の位置に持ってくること可能であり、この位置でロック可能である。周知の方法でこの目的のために与えられるのは、クランプボルト２７である。それは、スタンドに関してテンション部（図示せず）にテンションをかけることができる。それは、クランプボルト上に与えられる対応する螺刻部にねじ止めされたクランプホイール２８を通じて達成可能である。もちろん、他の周知の適当な移動およびロックシステムが適用可能である。
【００２９】
スタンド２５は周知の方法で部屋の壁に固定することが可能である。また、部屋の天井と床の間に設置されたスタンド２５に適用することも可能である。このスタンドを通じて、筋肉運動をするための装置１は任意の所望の高さに持ってきて、その高さにロックすることが可能である。したがって、装置１は、運動すべき筋肉集合に応じた最適かつ所望の高さに持ってくることが可能となる。
【００３０】
図６および図７からわかるように、アーム７は、スタンド２５に配置されたサポート１７に関して、軸線１８の回りに回転可能である。この回転は０°から３６０°で生じる。パワーアームの動きの方向は、任意の位置で設定可能となる。
【００３１】
本願発明に従う装置１の高さ調節機能、サポート１７に関する３６０°のアーム７の回転および任意の設定位置での固定機能を通じて、パワーアームは実際に任意の位置まで持ってくることが可能である。上からおよび下から任意の所望の高さまでパワーアームの垂直方向の移動、および、両側におけるパワーアームの横方向の移動によって、上方から左右または下方から左右への傾いた移動が可能になり、ほとんどの人体の筋肉集合が移動および運動可能になる。対応する作用エレメントが、運動すべき筋肉集合に応じて使用可能である。本実施形態においては、ロッドが使用される。このロッドは、ハンドルまたはグリップと容易に置換可能であり、ロープに固定されて、手または足に係合することができる。圧縮パッドまたは任意のタイプのフープまたはストラップもまた使用可能である。本願発明に従うこの装置は、したがって、任意の筋肉集合を移動および運動することが可能なほぼ無制限の可能性を提供する。
【００３２】
図８Ａおよび図８Ｂは、本願発明に従う装置１がどのように場所を取らずに格納できるかを示している。パワーアーム２は、例えばヒンジピンを引き抜くことによって第１ヒンジ９を外すことにより、スプリングエレメント１１から、または、空気圧シリンダ１５からリリースすることができる。理想的には、装置は、空気圧シリンダ１５が上方に配置される間、パワーアームが下方にぶら下がって配置されるようにして、サポート１７に関して回転する。その後、パワーアーム２は第１ヒンジ９の回りに下方に枢動可能である。バネエレメント１１または空気圧シリンダ１５は、その後、アーム７の他端領域１４において下方向にぶら下がる。伸長部２３は、パワーアーム２から除去可能であり、スタンド２５内の対応する収納部に挿入可能である。作用エレメント４も同様に、スタンド２５内に収納可能である。こうして、装置は、場所を取らない方法で、格納可能である。
【００３３】
図９Ａおよび図９Ｂからわかるように、スタンド２３は、２つのドア３０および３１を有するカップボードエレメント２９内に収容可能である。図８Ａおよび図８Ｂを参照して説明したように、装置１はその後、カップボードエレメント２９の２つのドア３０および３１が閉止可能であるようにつぶされるかまたは折られる。筋肉運動をするための装置は、保管用のこのカップボードエレメント内にこうして収容される。カップボードエレメントは、オフィスや寝室、または、リビングリームであっても、不快とは思わない程度に、美観を設計可能である。
【００３４】
図１０からわかるように、空気圧シリンダ１５は圧縮空気ライン３２を介して圧縮空気リザーバ３３に結合される。圧縮空気ライン３２に結合されるのは、システム内の圧力を示すマノメーター３４である。さらにシステム内の圧力が高くなり過ぎないようにするために、圧力制限バルブ３５が空気ライン３２内に挿入されている。空気圧ソース３６は、圧縮空気ライン３２に結合することができる。その空気圧ソースは例えば、コンプレッサーであるか、手動ポンプまたは類似の適当なエレメントであってよい。さらに、圧力解放バルブ３７が与えられる。それによって、圧力がシステムから解放される。空気圧ソース３６および圧力解放バルブ３７を通じて、システム内に存在する圧力は、変更可能となり、それによって、空気圧シリンダ１５を通じて作用する力が調節可能となる。さらに、圧縮空気ライン３２内に挿入されるのは、パイプ破裂防止デバイスである。それは、パワーアームの意図しないリリースのような間違った操作や、システム内の欠陥が生じた場合に、装置のパワーアームを破壊する。
【００３５】
筋肉運動をするための本願発明に従う装置は、パワーアームのストローク中の力または力の経路がどのように変更可能かについての最も広い可能性を提供する。一方で、空気圧システム内の空気圧は変更可能である。他方で、第１ヒンジ９（図１Ａ）に関する第１関節接合部１２の間隔が変更可能である。さらに、伸長部２３（図２Ａ）がパワーアーム内に出し入れ可能である。それによって、作用エレメント４と第１ヒンジ９との間の間隔もまたは変更可能である。これらすべての調節機能を通じて、ストローク中にパワーアーム２に出力されなければならない力の進行および経路が変更可能となる。図１１に示す図では、その力の経路が示されている。縦軸３８は力の変化を％で示している。横軸３９はパワーアーム２のストロークを示している。曲線４０は、パワーアームのストローク中に力が増加する、力の進行経路を示している。曲線４１は、ストローク全体にわたって実質的に一定の力を示している。曲線４２は減少する力を示しており、期待される力がパワーアームのストロークにわたって減少している。これらの機能によって、目標値に完全に調節することは、運動または動かすべき筋肉集合に対する所望の効果に応じた力の経路を見つけることに帰着する。
【００３６】
図１２Ａおよび１２Ｂには、本願発明に従う装置１の個々のコンポーネントが示されている。特に、図１２Ｂに示すのは、サポート１７内のボア４３の構成である。上述したように、それを介してアーム７のそれぞれの角度位置がロックピン１９によって固定可能となる。図１２Ａおよび１２Ｂに示すのは、圧縮空気ライン３２と同様のものである。それは、空気圧シリンダ１５に結合されており、アーム７およびサポート１７を通過して、軸線１８に対して周知の方法で導かれ、スタンド２５に現れる。この構成によって、圧縮空気は、サポート１７に関してアーム８を回転させることなく空気圧シリンダ内に最適に持ってくることが可能となる。
【００３７】
図１３は、装置１がサポート１７を通じて高さ調節可能な方法で配置されるスタンド２５を示す。それによって、圧縮空気ライン３２はサポート２５内に螺旋状に配置可能となる。その結果、サポート２５に関する装置１の高さ調節可能性が損なわれることはない。この圧縮空気ライン３２は図１０に関して説明したように、システムに導入される。このシステムは例えば、スタンド２５内部に配置可能である。しかしながら、このシステムは、またカップボードエレメント２９（図９Ａおよび９Ｂ）内に容易に収納することもできる。また、それは、スタンド２５またはカップボードエレメント２９の隣に配置された別個の箱の中に収容することも可能である。
【００３８】
サポート２５には周知の方法で、カウンターウェイトが配置可能である。それによって装置１の重量が補償され、その結果、スタンド２５に関する装置１の高さ調節を努力なく行うことができる。しかしながら、カウンターウェイトの代わりに、バネバランサーが周知の方法で設けられてもよい。また、ローラー４４に対応して配置されて案内されたラバーケーブルプルも適用可能である。
【００３９】
本願発明に従って得られる解決手段は、構成が非常に単純な筋肉運動用の装置を与える。しかし、それはさまざま方法で使用することができ、かつ、場所をとならないで格納することができる。この装置は、すべてのスポーツに応用可能なほとんどすべての多様な筋肉集合を運動および移動させるのに適している。しかし、この装置は、治療目的で使用することも可能である。
【先行技術文献】
【特許文献】
【００４０】
【特許文献１】米国特許第６，３２８，６７９号明細書
【図１ａ】
2016516497.tif 000003
【図１ｂ】
2016516497.tif 000004
【図２ａ】
2016516497.tif 000005
【図２ｂ】
2016516497.tif 000006
【図３ａ】
2016516497.tif 000007
【図３ｂ】
2016516497.tif 000008
【図４ａ】
2016516497.tif 000009
【図４ｂ】
2016516497.tif 000010
【図５】
2016516497.tif 000011
【図６】
2016516497.tif 000012
【図７】
2016516497.tif 000013
【図８ａ】
2016516497.tif 000014
【図８ｂ】
2016516497.tif 000015
【図９ａ】
2016516497.tif 000016
【図９ｂ】
2016516497.tif 000017
【図１０】
2016516497.tif 000018
【図１１】
2016516497.tif 000019
【図１２ａ】
2016516497.tif 000020
【図１２ｂ】
2016516497.tif 000021
【図１３】
2016516497.tif 000022
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
一端領域に作用エレメントを有し、他端領域において第１ヒンジの回りに回転可能であるパワーアームを備え、前記第１ヒンジは保持エレメント上に配置され、バネエレメントの一端領域が第１関節接合部において関節接合して前記パワーアームにリンクされ、前記バネエレメントの他端領域が前記保持エレメント上の第２関節接合部において関節接合して前記保持エレメントにリンクされ、
前記保持エレメントは、回転ヒンジを介してサポートに結合され、前記サポートに関して軸線の回りにひとつの平面内で回転可能であり、所定の回転位置においてロック可能である、ことを特徴とする筋肉運動用の装置。
【請求項２】
前記保持エレメントがアームとして構成され、前記アームの一端領域において、前記第１ヒンジが配置され、前記アームの他端領域において前記バネエレメントの前記他端領域が関節接合でリンクされている、ことを特徴とする請求項１に記載の装置。
【請求項３】
前記パワーアームが伸長部を有し、前記作用エレメントが前記伸長部に設けられ、前記伸長部は伸縮自在に前記パワーアーム内部に出し入れでき、所定の位置でロックすることができる、ことを特徴とする請求項１または２に記載の装置。
【請求項４】
前記第１ヒンジに対する前記第１関節接合部の間隔を設定するべく、前記第１関節接合部は調節可能である、ことを特徴とする請求項１から３のいずれか一項に記載の装置。
【請求項５】
前記サポートはスタンド上に高さ調節可能な方法で設置され、前記スタンドは、部屋の壁または部屋の内部の壁に対して固定することができ、調節した高さにロック可能である、ことを特徴とする請求項１から４のいずれか一項に記載の装置。
【請求項６】
前記サポートは、前記スタンド内のカウンターフォースに応じた高さで保持される、ことを特徴とする請求項５に記載の装置。
【請求項７】
前記カウンターフォースは、カウンターウェイトまたはバネバランサーによって形成される、ことを特徴とする請求項６に記載の装置。
【請求項８】
前記パワーアームおよび前記バネエレメントは、前記第１関節接合部において互いに分離可能であり、前記パワーアームは前記保持エレメントに近づく方向にスイング可能である、ことを特徴とする請求項１から７のいずれか一項に記載の装置。
【請求項９】
前記スタンドはカップボードエレメント内に配置され、前記カップボードエレメントはドアを有し、前記ドアは、前記パワーアームが前記保持エレメントに近づく方向にスイングすると閉止する、ことを特徴とする請求項８に記載の装置。
【請求項１０】
前記バネエレメントは空気圧シリンダである、ことを特徴とする請求項１から９のいずれか一項に記載の装置。
【請求項１１】
前記空気圧シリンダは圧縮空気ラインを介して圧縮空気リザーバに結合されている、ことを特徴とする請求項１０に記載の装置。
【請求項１２】
マノメーターおよび圧力制限バルブが、前記圧縮空気ライン内に挿入されている、ことを特徴とする請求項１１に記載の装置。
【請求項１３】
空気圧ソースおよび減圧システムが前記圧縮空気ラインに結合され、それにより、前記圧縮空気ライン内の空気圧が変更可能となる、ことを特徴とする請求項１１または１２に記載の装置。
【請求項１４】
請求項１から１３のいずれか一項に記載の筋肉運動用の装置であって、前記作用エレメントはトレーニングに応じて選択可能な種々のエレメントを含む、ことを特徴とする装置。
【国際調査報告】
2016516497.tif 000023
2016516497.tif 000024
2016516497.tif 000025
2016516497.tif 000026
2016516497.tif 000027
2016516497.tif 000028